(57)【特許請求の範囲】
【請求項１】
タイルパネルと、前記タイルパネルの背面に固着し、両端を前記タイルパネルの両側から延出する固定材と、からなり、モルタル又は接着剤を介して建物の外壁面に配置する剥落防止タイルを用いた剥落防止構造であって、
外壁面に配列した複数の前記タイルパネルのうち、一つのタイルパネルの一側面から延出する前記固定材と、前記一つのタイルパネルに隣接する他のタイルパネルの一側面から延出する前記固定材どうしを結束して結束部を形成し、
前記結束部を前記タイルパネル間の目地に配置することを特徴とする、剥落防止構造。
【請求項２】
請求項１に記載の剥落防止構造において、複数組の前記タイルパネルを外壁面に配置して複数の前記結束部を形成し、前記タイルパネル間の目地に配置する直線状の拘束材によって、複数の前記結束部を前記外壁面に固定することを特徴とする、剥落防止構造。
【発明の詳細な説明】
【技術分野】
【０００１】
本発明は、建物の外装仕上げに用いる剥落防止タイルを用いた剥落防止構造に関するものである。
【背景技術】
【０００２】
近年、外壁をタイル張りで仕上げた建物が人気となっている。
タイル張りは、外壁面ａにモルタルｂを塗布し、モルタルｂ面にタイルパネルｃを張り付ける方法（図８）や、外壁面に外装材を設け、接着材により外装材にタイルを張り付ける方法が一般的である。
モルタルｂにより張り付ける方法の場合には、タイルパネルｃに裏足ｄを設け、タイルパネルを叩きつけることにより裏足ｄ間にモルタルｂを食い込ませて、モルタルｂとタイルパネルｃを一体とする。
【発明の概要】
【発明が解決しようとする課題】
【０００３】
しかし、従来のタイルによる外装仕上げには、以下のような問題があった。
（１）モルタルを用いる場合、モルタルの経年劣化によって、タイルパネルが剥落してしまう恐れがある。
（２）モルタルを用いる場合、タイル張り付け時にタイルパネルを叩きつける際の振動やタイルパネルの重さによってモルタルがダレてタイルパネルが下にずれることがあり、剥落するおそれがある。
（３）いずれの方法においても、大地震が発生した時には地震時の揺れや、建物躯体のクラック等によりタイルパネルが剥落する可能性がある。
【０００４】
本発明は、外壁面からの剥落を防止する剥落防止タイル及びそれを用いた剥落防止構造を提供することを目的とする。
【課題を解決するための手段】
【０００５】
上記目的を達成するためになされた本願の第１発明は、タイルパネルと、前記タイルパネルの背面に固着し、両端を前記タイルパネルの両側から延出する固定材と、からなり、モルタル又は接着剤を介して建物の外壁面に配置する剥落防止タイルを用いた剥落防止構造であって、外壁面に配列した複数の前記タイルパネルのうち、一つのタイルパネルの一側面から延出する前記固定材と、前記一つのタイルパネルに隣接する他のタイルパネルの一側面から延出する前記固定材どうしを結束して結束部を形成し、前記結束部を前記タイルパネル間の目地に配置することを特徴とする、剥落防止構造を提供する。
本願の第２発明は、第１発明の剥落防止構造において、複数組の前記タイルパネルを外壁面に配置して複数の前記結束部を形成し、前記タイルパネル間の目地に配置する直線状の拘束材によって、複数の前記結束部を前記外壁面に固定することを特徴とする、剥落防止構造を提供する。
【発明の効果】
【０００６】
本発明は、上記した課題を解決するための手段により、次のような効果の少なくとも一つを得ることができる。
（１）タイルパネルの背面に固定材を設け、タイルパネルの背面のみでなく、固定材もモルタルや接着材によって外壁面に取り付けることにより、タイルパネルが剥がれた時に落下することを防ぐことができる。
（２）隣り合うタイルパネルの固定材を結束することにより、一方のタイルパネルが剥がれた時に、剥がれていない他方のタイルパネルが固定材を介して一方のタイルパネルの落下を防ぐことができる。
（３）固定材は線材であるため、容易に結束することができる。
（４）拘束材によって、複数組のタイルパネルの剥落を防止できる。
【図面の簡単な説明】
【０００７】
【図１】本発明の剥落防止タイルの説明図
【図２】本発明の剥落防止タイルを用いた剥落防止構造の説明図
【図３】本発明の剥落防止構造における剥落防止タイルの配置図
【図４】本発明の剥落防止構造の横断面図
【図５】本発明の剥落防止構造の施工方法の説明図
【図６】その他実施例にかかる剥落防止構造の説明図（１）
【図７】その他実施例にかかる剥落防止構造の説明図（２）
【図８】従来のタイルパネルの説明図
【発明を実施するための形態】
【０００８】
以下、図に示す実施例に基づき、本発明を詳細に説明する。
【実施例１】
【０００９】
［１］剥落防止タイルの概要
本発明の剥落防止タイル１は、タイルパネル１１と、タイルパネル１１の背面に取り付ける固定材１２と、からなる。（図１）
【００１０】
（１）タイルパネル
タイルパネル１１は、矩形やひし形等の板体である。
タイルパネル１１をモルタルにより張り付ける場合には、裏面に裏足１１１を設ける。
また、タイルパネル１１の裏面には、タイルパネル１１の縦方向または横方向の全長に亘って、溝部１１２を設けてもよい。
タイルパネル１１は押し出し成形により成形するが、溝部１１２は全長に亘って設けるため、押し出し成形時に容易に設けることができる。また、プレス成形の場合でも型を加工することにより容易に設けることができる。
【００１１】
（２）固定材
固定材１２は、錆びにくい材質のステンレス製の線材であり、折曲可能とする。
固定材１２は、接着材等によりタイルパネル１１の裏面に固定する。タイルパネル１１の裏面に溝部１１２を設ける場合には、溝部１１２内に固定材１２を配置して固定する。
固定材１２の両端は、タイルパネル１１の両側面から延出する。
【００１２】
［２］剥落防止タイルを用いた剥落防止構造
次に、剥落防止タイル１を用いた剥落防止構造について説明する。
本発明の剥落防止構造は、複数枚の剥落防止タイル１を外壁面２に張り付けて構成する。そして、隣接する崩落防止タイル１ａ、１ｂから延出する固定材１２ａ、１２ｂを結束するものである。
剥落防止タイル１はモルタル３や接着剤を介して外壁面２に張り付ける。
剥落防止タイル１は並列して配置しても良い（図３ａ）し、千鳥状に配置しても良い（図３ｂ）。
剥落防止タイル１ａ、１ｂは、間に目地部４を設けて張り付ける。
【００１３】
（１）固定材の結束
剥落防止タイル１ａ、１ｂから各々延出する固定材１２ａ、１２ｂは撚合して結束部１２１を構成する。
撚合して構成した結束部１２１は、剥落防止タイル１ａ、１ｂ間の目地部４に配置する。
目地部４には合成樹脂やモルタルからなる目地材４１を充填する。
【００１４】
［３］剥落防止構造の構築方法
次に、剥落防止タイル１を用いた剥落防止工法について説明する。
（１）タイルパネルの張り付け
剥落防止タイル１には、工場で予め固定材１２を取り付けておく。
そして、建物の外壁面２にモルタル３を塗布し、モルタル３に剥落防止タイル１の裏面を張り付ける。
モルタル３を用いる場合には、裏面に設けた裏足１１１間にモルタル３が入り込み、接着力が増す。
モルタル３ではなく、接着材によって剥落防止タイル１を張り付ける際には、裏面に裏足１１１を設ける必要がない。
剥落防止タイル１は所定の間隔を設けて目地部４を形成し、複数枚張り付ける。（図５ａ）
【００１５】
（２）固定材の結束
張り付けた剥落防止タイル１の、隣接する剥落防止タイル１ａ、１ｂから延出する固定材１２ａ、１２ｂを撚合し、結束部１２１を形成する。（図５ｂ）
固定材１２はステンレス製の線材であるため、容易に撚合することができる。
結束部１２１は、剥落防止タイル１ａ、１ｂ間の目地部４に配置する。モルタル３が硬化する前であれば、結束部１２１はモルタル３に埋めこんでもよい。
【００１６】
（３）目地詰め
そして、モルタル３硬化後、目地部４に目地詰めを行う。
目地材４１は、モルタルや合成樹脂からなり、目地部４に塗り込み、硬化させる。（図４）
結束部１２１は、目地部４に配置し、目地材４１によって覆い隠されるため、美感を損ねることがない。
【００１７】
（４）剥落防止タイルの効果
剥落防止タイル１は、隣接するタイルと結束部１２１を形成する。このため、裏面のモルタルや接着材が剥がれても、結束部１２１を介してモルタル３及び外壁面２とつながっており、剥落することがない。
また、さらに結束部１２１が剥がれたとしても、一方の剥落防止タイル１ｂが剥がれていなければ、その剥落防止タイル１ｂおよび結束部１２１を介してモルタル３及び外壁面２とつながっており、剥落することがない。
【００１８】
［その他実施例］
固定材１２は、お互いに撚合することにより結束部１２１を形成したが、目地部４にアンカーピン５を設け、アンカーピン５に固定材１２を巻き付けて、結束部１２１を形成してもよい。（図６）
アンカーピン５はモルタル３が硬化した後に外壁面２に直接打設する。
外壁面２に打設したアンカーピン５に固定材１２を巻き付けて結束部１２１を形成することにより、モルタル３が剥がれたとしても、固定材１２およびアンカーピン５を介して剥落防止タイル１が外壁面２とつながっており、剥落することがない。
アンカーピン５及び結束部１２１は、目地材３１によって覆い隠されるため、美感を損ねることがない。
【００１９】
また、棒状または線状の拘束材６によって、結束部１２１を固定してもよい（図７）。
拘束材６は目地部４に配置し、並列する複数枚の剥落防止タイル１によって形成する複数組の結束部１２１を固定することにより、複数枚の剥落防止タイル１の剥落を防止する。
拘束材６は外壁面２に打設する固定具６１を介して、外壁面２に固定する。
外壁面２に固定した拘束材６によって結束部１２１を固定することにより、モルタル３が剥がれたとしても、固定材１２および拘束材６を介して剥落防止タイル１がモルタル３及び外壁面２とつながっており、剥落することがない。
一本の拘束材６で複数の結束部１２１をまとめて固定するため、施工が容易である。
また、拘束材６に固定材１２を巻き付けて結束部１２１を形成し、一本の拘束材６で複数の剥落防止タイル１を固定してもよい。
【符号の説明】
【００２０】
１      剥落防止タイル
１１    タイルパネル
１１１  裏足
１１２  溝部
１２    固定材
１２１  結束部
２      外壁面
３      モルタル
４      目地部
４１    目地材
５      アンカーピン
６      拘束材
６１    固定具６１
【図１】
0005700828.tif 000002
【図２】
0005700828.tif 000003
【図３】
0005700828.tif 000004
【図４】
0005700828.tif 000005
【図５】
0005700828.tif 000006
【図６】
0005700828.tif 000007
【図７】
0005700828.tif 000008
【図８】
0005700828.tif 000009